(57)【特許請求の範囲】
【請求項１】
取付基板(2) を備えた取付部材を、取付穴(11)を備えた被取付部材(1) に着脱するための取付部材の着脱装置であって、取付基板(2) の裏面には取付穴(11)に係合する一対の係止爪部(33)を備えた係合部材(3) を突設するとともに、一対の係止爪部(33)の横幅を取付穴(11)の横幅よりも小さく縮幅させる傾斜カム部(43)を備えた係合解除部材(4) を、前記係合部材(3) にスライド自在に取付けて、係合解除部材(4)を後方から前方に押圧することにより傾斜カム部(43)が係止爪部(33)を縮幅して取付穴(11)との係合を解除するようにしたことを特徴とする取付部材の着脱装置。
【請求項２】
係合部材(3) が、基台部(31)と、基台部(31)から上方に延設されて取付基板(2) を基台部(31)に固定するための固着部(32)と、基台部(31)から下方に延設されて被取付部材(1) に係合する係止爪部(33)とにより構成されたものであることを特徴とする請求項１記載の取付部材の着脱装置。
【請求項３】
係合部材(3) の係止爪部(33)が、基台部(31)から下方に支柱(34)を延設して、支柱(34)の先端に被取付部材(1) の取付け穴(11)より狭幅の爪支持部(35)を設け、その爪支持部(35)の両端に逆八の字形に可撓性を有する一対の弾性片部(331) を取付け穴(11)より広幅に延設したうえ、弾性片部(331) の先端から係止片部(332) を被取付部材(1) の一角に当接するように内側に折り曲げて延設し、さらに、係止片部(332) の先端に弾性片部(331) の可撓方向に垂直に突起部(333) を設けたものであることを特徴とする請求項１または２記載の取付部材の着脱装置。
【請求項４】
係合解除部材(4) が、その基部(41)から上方に延設された板状の胴部(42)の内側に、胴部(42)の上端から下方に向かって縮幅された傾斜カム部(43)が形成されたものであることを特徴とする請求項１〜３何れか記載の取付部材の着脱装置。
【請求項５】
係合部材(3) の基台部(31)から下方に延設された支柱(34)の先端方部を二股に分けて分岐部(36)を形成し、該分岐部(36)の内側に左右一対の段差部(37)を設けるとともに、係合解除部材(4) の基部(41)に鈎状凸部(44)を設けて、この鈎状凸部(44)を段差部(37)間に挿入することにより鈎止めして、係合解除部材(4) の係合部材(3) からの脱落を防止して一体に組立てたことを特徴とする請求項１〜４何れか記載の取付部材の着脱装置。
【請求項６】
係合部材(3) の基台部(31)から下方に支柱(34)に平行に一対の係止鈎片(311) を設け、この係止鈎片(311) を係合解除部材(4) に設けた係止片(45)に係合させることにより、係合解除部材(4) の係合部材(3) からの脱落を防止して一体に組立てたことを特徴とする請求項１〜５何れか記載の取付部材の着脱装置。
【請求項７】
被取付部材(1) の取付け穴(11)内面に設けた段差部(12)に、係合部材(3) の係止片部(332) を係止させることにより、取付基板(2) を被取付部材(1) に固定することを特徴とする請求項１〜６何れか記載の取付部材の着脱装置。
【請求項８】
係合部材(3) の基台部(31)上面から係合解除部材(4) の基部(41)下面までの寸法が、被取付部材(1) の厚み以下であることを特徴とする請求項１〜７何れか記載の取付部材の着脱装置。
【請求項９】
基台部(31)及び爪支持部(35)及び基部(41)の横寸法を取付穴(11)寸法の範囲内とし、且つ、弾性片部(331) を取付け穴(11)寸法の範囲を超える幅に設けて、係止片部(332) を被取付部材(1) に係合させることを特徴とする請求項１〜８何れか記載の取付部材の着脱装置。
【発明の詳細な説明】
【０００１】
【発明の属する技術分野】
本発明は、パチンコ機において、取付部材を遊技板等の被取付部材に着脱するための取付部材の着脱装置に関するものである。
【０００２】
【従来の技術】
パチンコ機の遊技板には、幾つかのランプや装飾品が取付けられて、遊技者の遊興効果を盛り上げているが、このランプや装飾品等の取付部材は遊技盤に固定された取付基板に取付られている。従来、この取付部材が備えられた取付基板はねじ等により螺着されていたり、装着部材を介して取付けられていた。近年の地球環境の保護、資源の有効利用の機運の高まりに連れて、パチンコ機の遊技板においても部材を簡単に解体することのできる構造が求められている。しかしながら、取付基板がねじ等により螺着されている場合には、いちいちねじを緩める必要があり、また、装着部材を介して取付けられている場合には、装着部材が取付部材の取外しを考慮した構造になっていなかったために、その取外しは非常に工数のかかる厄介な作業であった。
【０００３】
【発明が解決しようとする課題】
本発明は上記した従来の問題点を解決し、取付部材を簡単に着脱することのできる取付部材の着脱装置を提供するためになされたものである。
【０００４】
【課題を解決するための手段】
上記の課題を解決する耐えになされた本発明の取付部材の着脱装置は 取付基板を備えた取付部材を、取付穴を備えた被取付部材に着脱するための取付部材の着脱装置であって、取付基板の裏面には取付穴に係合する一対の係止爪部を備えた係合部材を突設するとともに、一対の係止爪部の横幅を取付穴の横幅よりも小さく縮幅させる傾斜カム部を備えた係合解除部材を、前記係合部材 にスライド自在に取付けて、係合解除部材を後方から前方に押圧することにより傾斜カム部が係止爪部を縮幅して取付穴との係合を解除するようにしたことを特徴とするものである。
【０００５】
なお、係合部材が、基台部と、基台部から上方に延設されて取付基板を被取付部材に固定するための固着部と、基台部から下方に延設されて被取付部材に係合する係止爪部とにより構成することができ、係合部材の係止爪部が、基台部から下方に支柱を延設して、支柱の先端に被取付部材の取付け穴より狭幅の爪支持部を設け、その爪支持部の両端に逆八の字形に可撓性を有する一対の弾性片部を取付け穴より広幅に延設したうえ、弾性片部の先端から係止片部を被取付部材の一角に当接するように内側に折り曲げて延設し、さらに、係止片部の先端に弾性片部の可撓方向に垂直に突起部を設けたものとすることができ、係合解除部材が、その基部から上方に延設された板状の胴部の内側に、胴部の上端から下方に向かって縮幅された傾斜カム部が形成されたものとすることができる。
【０００６】
また、係合部材の基台部から下方に延設された支柱の先端方部を二股に分けて分岐部を形成し、該分岐部の内側に左右一対の段差部を設けるとともに、係合解除部材の基部に鈎状凸部を設けて、この鈎状凸部を段差部間に挿入することにより鈎止めして、係合解除部材の係合部材からの脱落を防止して一体に組立てることができる。
【０００７】
本発明の取付部材の着脱装置は、取付部材の取付基板に固定される係合部材に係止爪部を設け、この係止爪部を被取付部材の取付穴と係合させることにより、簡単に取付部材を被取付部材に装着することができる。一方、係合部材にスライド自在に装着した係合解除部材を後方から、即ち被取付部材の裏側から表側に向けて押圧することにより、係合解除部材に設けられたた傾斜カム部が係止爪部を縮幅して、係合部材と取付穴との係合を解除して取付部材を着脱装置とともに簡単に取外すことができる。
【０００８】
【発明の実施の形態】
以下に図面を参照しつつ本発明の好ましい実施形態を示す。
図１〜４は本発明の第１の実施形態を示す図であって、１は遊技板等の被取付部材、２はランプや装飾品等の取付部材が備えられた取付基板、３は取付基板２を被取付部材１に固定するための係合部材、４は被取付部材１と係合部材３の係合を解除するための係合解除部材である。係合部材３は、基台部３１と、基台部３１上方に延設されて取付基板２を基台部３１に固定するための固着部３２と、基台部３１下方に延設されて被取付部材１に係合する係止爪部３３とにより構成されており、係合解除部材４には、係止爪部３３の横幅を縮幅する傾斜カム部４３が設けられている。
【０００９】
係止爪部３３は、基台部３１から下方に延設された支柱３４の先端に、被取付部材１の取付穴１１より狭幅の爪支持部３５が設けられ、その爪支持部３５の両端には逆八の字形に可撓性を有する一対の弾性片部３３１が取付穴１１より広幅に延設されたうえ、弾性片部３３１の先端から係止片部３３２が被取付部材１の一角に当接するように内側に折り曲げて延設されており、さらに係止片部３３２の先端には弾性片部３３１の可撓方向に垂直に突起部３３３が設けられている。また、係合解除部材４は、基部４１から上方に板状の胴部４２が延設され、胴部４２の内側には、胴部４２の上端から下方に向かって縮幅された傾斜カム部４３が形成されている。
【００１０】
図１に示すように、係合部材３の支柱３４の先端方部は二股に分けられて分岐部３６が形成され、この分岐部３６の内側には左右に一対の段差部３７が設けられており、一方、係合解除部材４の基部４１には鈎状凸起４４が設けられていて、この鈎状凸起４４を段差部３７間に挿入することにより鈎止めして、係合解除部材４の係合部材３からの脱落を防止して、係合解除部材４を係合部材３に一体に組付けることができる。
【００１１】
なお、図１に示した係合解除部材４を係合部材３に一体に結合する実施形態に代えて、図９〜１０に示すように、係合部材３の基台部３１から下方に支柱３４に平行に一対の係止鈎片３１１を設け、この係止鈎片３１１を係合解除部材４に設けた係止片４５に係合させることによっても、係合解除部材４の係合部材３からの脱落を防止して、係合解除部材４を係合部材３に一体に組付けることができる。
【００１２】
また、図１の実施形態においては、被取付部材１の取付穴１１の内面には段差部１２が設けられており、この段差部１２の角に係合部材３の係止片部３３２を係合させることにより、取付基板２を被取付部材１に堅固に取付けることができる。なお、取付基板２には差し込み部２２が被取付部材１の穴部に差し込まれて固定されている。
【００１３】
また、係合部材３と係合解除部材４を一体に組立てた時に、係合部材３の基台部３１上面から係合解除部材４の基部４１下面までの寸法を、被取付部材１の厚み以下として、取付基板２の着脱構造が被取付部材部材１の裏側にはみ出すことのないように形成してある。
【００１４】
基台部３１及び爪支持部３５及び基部４１の横寸法を取付穴１１の寸法の範囲内とし、且つ、弾性片部３３１を取付け穴１１の寸法の範囲からはみ出すように逆八の字形に弾性片部３３１の幅を拡げることにより、取付基板２の装着部材をスムーズに取付穴１１に挿入させて、係止片部３３２を被取付部材１と係止させることができる。
【００１５】
なお、取付基板２を被取付部材１に取り付けるための固着部３２が、基台部３１から上方に延設された支柱３８の先端部から下方に向けて八の字状に弾性片部３９が設けられ、該弾性片部３９の先端には取付穴２１の内周に当接する平面部３９１が形成されており、これにより取付基板２が被取付部材１に固定されている。取付穴２１の内周に当接する平面部３９１を設ける代わりに弾性片部３９の先端に取付基板２の取付穴２１の一角に当接する斜面を設けても同様に取付基板２を被取付部材１に固定することができる。
【００１６】
取付部材を被取付部材１に取付るときは、取付基板２を係合部材３に固定するとともに係合解除部材４と係合部材３とを一体に組合せ、この一体に組合わせた着脱部材を、被取付部材１の表側から取付穴１１に挿入して、係合部材３の係止爪部３３に設けられた係止片部３３２を、取付穴１１の段差１２に係合させることにより、取付基板２を被取付部材１に取付ることができる。また、取付基板２を所要位置に配置したのち、被取付部材１の裏側から係合解除部材４が装着された係合部材３の固着部３２を、取付穴１１に挿入してさらに取付基板２の取付穴２１から突出させることによっても、取付部材を被取付部材１に取付ることができる。
【００１７】
次に、取付部材を被取付部材１から取り外す時の状態を図５〜８により説明する。図５は取付部材を備えた取付基板２が被取付部材１に係合部材３により固定された状態を示す図であって、係合部材３には係合解除部材４が装着されている。係合解除部材４を後方から、即ち被取付部材１の裏側から表側に向けて押圧することにより傾斜カム部４３が一対の突起部３３３の間隔を狭めるように作用して、弾性片部３３１を撓ませる。（図６）さらに、押圧を継続すると突起部３３３は傾斜カム下側の平行面部４３１に入り係止片部３３２の横幅は取付穴１１の横幅以下に縮幅されて、係止片部３３２と取付穴１１の段差部１２との係止が解除され（図７）、図８に示すように、取付基板２を係合部材３及び係合解除部材４とともに、被取付部材１から簡単に取外すことができる。
【００１８】
取付基板２を基台部３１に取り付けるための固着部３２として、図１に示した実施形態に代えて、図１１に示すように、基台部３１の代わりに支柱３８の先端方部を二股に分けて分岐部３８１を設け、該分岐部３８１の外側に逆止鈎３８２を設けて、この分岐部３８１を取付基板２の取付穴２１に挿入することにより取付基板２と係合部材３とを一体に構成することができる。
【００１９】
また、図１２に示すように、取付基板２の裏側に、外側に逆止鈎２３を有する二股状フック２４を設けるとともに、基台部３１に穴部３１２を設けて、この穴部３１２に二股状フック２４を挿入することによっても、取付基板２と係合部材３とを一体に構成することができる。
【００２０】
また、図１３に示すように、取付基板２の表側に、可撓性を有する八の字状のフック部２５を設けるとともに、基台部３１から上方に延設した支柱３８の先端に、フック部２５に係合する係止突片３１３を設けて、八の字状のフック部２５に係止突片３１３を係合させることによっても、取付基板２と係合部材３とを一体に構成することができる。
【００２１】
また、図１４に示すように、取付基板２の取付穴２１を所要の長さに形成し、その取付穴２１近傍に２条の溝２６を取付穴２１に平行に形成して取付穴２１に可撓性を付与するとともに、基台部３１から上方に延設した支柱３８の先端に、取付穴２１に係合する鈎状突部３１４を設けて、取付穴２１に鈎状突部３１４を挿入することによっても、取付基板２と係合部材３とを一体に構成することができる。
【００２２】
また、図１５に示すように、係合部材３の基台部３１上方にＴの字形の突片３１５を延設するとともに、取付基板２の取付穴２１に広幅部２１１と狭幅部２１２を形成して、Ｔの字形の突片３１５を広幅部２１１に挿入したのち狭幅部２１２にスライドさせることによっても、取付基板２と係合部材３とを一体に構成することができる。なお、１３は凸片３１５の広幅部２１１への逆行を防止するための可撓性を有する係止片である。
【００２３】
また、図１６に示すように、係合部材３の基台部３１上方に支柱３８を延設するとともに、取付基板２に形成した取付穴２１周部に逆動防止片２７を配設して、取付穴２１に支柱３８を挿入して支柱３８を逆動防止片２７により係止することによっても、取付基板２と係合部材３とを一体に構成することができる。
【００２４】
また、図１７〜１８に示すように、取付基板２にねじ挿通穴を、係合部材３に連通するねじ下穴２３２を設けたうえに、このねじ下穴２３２に取付ねじ２３１をねじ込むことによっても、取付基板２と係合部材３とを一体に構成することができる。図１７においては取付ねじ２３１は丸頭ねじであり、図１８においては皿頭ねじである。
【００２５】
また、図１９に示すように、係合部材３の基台部３１上面と取付部材２下面とを接着剤により接着することによっても、或いは、熱を加えて接合面を溶融軟化させて溶着することによっても、取付基板２と係合部材３とを一体に構成することができる。
【００２６】
さらに、図２０に示すように、取付基板２をもって基台部３１となし、この取付基板２から下方に支柱３４を延設し、その支柱３４の先端方部に係止爪部３３を設けることによっても、取付基板２と係合部材３とを一体に形成することができて係合部材に取付基板を固定することができる。なお、図１１、１２、１８〜２０の実施形態においては、取付基板２から上方に結合手段が突出しない利点がある。
【００２７】
なお、取付基板２、係合部材３、係合解除部材４の材質として、可撓性を有するエンジニアリングプラスチックを用いるのが望ましい。可撓性を有するエンジニアリングプラスチックを用いることによって、弾性片部３３１、係止鈎片３１１等を撓ませることができて部材同士を係合することができる。
【００２８】
本発明の取付部材の着脱装置は、取付部材の取付基板に固定される係合部材に係止爪部を設け、この係止爪部を被取付部材の取付穴と係合させることにより、簡単に取付部材を被取付部材に装着することができる。一方、係合部材にスライド自在に装着した係合解除部材を後方から、即ち被取付部材の裏側から表側に向けて押圧することにより、係合解除部材に設けられたた傾斜カム部が係止爪部を縮幅して、係合部材と取付穴との係合を解除して取付部材を着脱装置とともに簡単に取外すことができる。
【００２９】
【発明の効果】
以上に説明したように、本発明の取付部材の着脱装置によれば、取付基板に備えられたランプや装飾品等の取付部材を遊技板等の被取付部材に簡単に装着することができるとともに、パチンコ機を解体するときにも取付部材を着脱装置とともに簡単に取外すことができて、従来よりも組み付け、解体作業を簡素化して必要経費を削減することのできる利点がある。
【図面の簡単な説明】
【図１】第１の実施形態である取付部材の着脱装置の断面図である。
【図２】図１のＡ−Ａ部における断面図である。
【図３】図１のＢ−Ｂ部における断面図である。
【図４】第１の実施形態である取付部材の着脱装置の分解斜視図である。
【図５】取付基板を被取付部材に装着した状態を示す断面図である。
【図６】係合解除部材を後方から押圧を開始した状態を示す断面図である。
【図７】係合解除部材を後方から完全に押し込んだ状態を示す断面図である。
【図８】取付基板を取外す状態を示す断面図である。
【図９】第２の実施形態である取付部材の着脱装置の断面図である。
【図１０】第２の実施形態である取付部材の着脱装置の分解斜視図である。
【図１１】第３の実施形態である取付部材の着脱装置の断面図である。
【図１２】第４の実施形態である取付部材の着脱装置の断面図である。
【図１３】第５の実施形態である取付部材の着脱装置の断面図である。
【図１４】第６の実施形態である取付部材の着脱装置の断面図と平面図である。
【図１５】第７の実施形態である取付部材の着脱装置の断面図と平面図である。
【図１６】第８の実施形態である取付部材の着脱装置の断面図である。
【図１７】第９の実施形態である取付部材の着脱装置の断面図である。
【図１８】第９の実施形態である取付部材の着脱装置の断面図である。
【図１９】第１０の実施形態である取付部材の着脱装置の断面図である。
【図２０】第１１の実施形態である取付部材の着脱装置の断面図である。
【符号の説明】
１  被取付部材
１１  取付穴
１２  段差部
１３  ガイド
２  取付基板
２１  取付穴
２１１  広幅部
２１２  狭幅部
２３  逆止鈎
２３１  取付ねじ
２３２  雌ねじ
２４  二股状フック
２５  八の字状のフック部
２６  溝
２７  逆動防止片
３  係合部材
３１  基台部
３１１  係止鈎片
３１２  穴部
３１３  係止突片
３１４  鈎状突部
３１５  Ｔの字形の突片
３２  固着部
３３  係止爪部
３３１  弾性片部
３３２  係止片部
３３３  突起部
３４  支柱
３５  爪支持部
３６  分岐部
３７  段差部
３８  支柱
３８１  分岐部
３８２  逆止鈎
３９  弾性片部
３９１  平面部
４  係合解除部材
４１  基部
４２  胴部
４３  傾斜カム部
４３１  平行面部
４４  鈎状凸起
４５  係止片
【図１】
0004653289.tif 000002
【図２】
0004653289.tif 000003
【図３】
0004653289.tif 000004
【図４】
0004653289.tif 000005
【図５】
0004653289.tif 000006
【図６】
0004653289.tif 000007
【図７】
0004653289.tif 000008
【図８】
0004653289.tif 000009
【図９】
0004653289.tif 000010
【図１０】
0004653289.tif 000011
【図１１】
0004653289.tif 000012
【図１２】
0004653289.tif 000013
【図１３】
0004653289.tif 000014
【図１４】
0004653289.tif 000015
【図１５】
0004653289.tif 000016
【図１６】
0004653289.tif 000017
【図１７】
0004653289.tif 000018
【図１８】
0004653289.tif 000019
【図１９】
0004653289.tif 000020
【図２０】
0004653289.tif 000021